(57)【要約】アクティブマトリックス装置は、支持プレート（２０）と、制御素子（６）のアレイと、制御信号を行ドライバ回路（２２）によって印加される、前記アレイをアドレスする前記プレート上の行アドレス導体（２６）の組と、データ信号を前記アレイとの導通に関して列ドライバ回路（２２）によって印加される、前記プレート上の列アドレス導体（１２）の組とを具える。前記個々のドライバ回路（２２）から前記アドレス導体の双方の組の少なくともいくつかへの接続が前記アレイの同じ側面を介し、前記アレイの他方の側面の周囲の前記プレートの外形が非長方形である。このようにして、これらのような装置の設計における大きな柔軟性が与えられる。
2004516511.tif 000002
【特許請求の範囲】
【請求項１】
支持プレートと、制御素子のアレイと、制御信号を行ドライバ回路によって印加される、前記アレイをアドレスする前記プレート上の行アドレス導体の組と、データ信号を前記アレイとの導通に関して列ドライバ回路によって印加される、前記プレート上の列アドレス導体の組とを具え、前記個々のドライバ回路から前記アドレス導体の双方の組の少なくともいくつかへの接続が前記アレイの同じ側面を介し、前記アレイの他方の側面の周囲の前記プレートの外形が非長方形であることを特徴とするアクティブマトリックス装置。
【請求項２】
請求項１に記載のアクティブマトリックス装置において、前記行ドライバ回路から前記行アドレス導体への接続が、前記アレイ領域内の列アドレス導体と実際的に平行の個々のコネクタを介することを特徴とするアクティブマトリックス装置。
【請求項３】
請求項１に記載のアクティブマトリックス装置において、前記列ドライバ回路から前記列アドレス導体への接続が、前記アレイ領域内の行アドレス導体と実際的に平行の個々のコネクタを介することを特徴とするアクティブマトリックス装置。
【請求項４】
請求項１、２または３に記載のアクティブマトリックス装置において、前記プレートの外形が、ある軸について実際的に対称であることを特徴とするアクティブマトリックス装置。
【請求項５】
請求項４に記載のアクティブマトリックス装置において、前記プレートの外形が、直角を成す軸について実際的に対称であることを特徴とするアクティブマトリックス装置。
【請求項６】
請求項１ないし５のいずれか１項に記載のアクティブマトリックス装置において、前記アレイが非長方形であることを特徴とするアクティブマトリックス装置。
【請求項７】
請求項６に記載のアクティブマトリックス装置において、前記アレイが、ある軸について実際的に対称であることを特徴とするアクティブマトリックス装置。
【請求項８】
請求項７に記載のアクティブマトリックス装置において、前記アレイが、直角を成す軸について実際的に対称であることを特徴とするアクティブマトリックス装置。
【請求項９】
請求項１ないし８のいずれか１項に記載のアクティブマトリックス装置を具える液晶ディスプレイ。
【請求項１０】
請求項９に記載の液晶ディスプレイにおいて、該ディスプレイを反射型または半透過型としたことを特徴とする液晶ディスプレイ。
【請求項１１】
支持プレートと、制御素子のアレイと、制御信号を行ドライバ回路によって印加される、前記アレイをアドレスする前記プレート上の行アドレス導体の組と、データ信号を前記アレイとの導通に関して列ドライバ回路によって印加される、前記プレート上の列アドレス導体の組とを具え、前記個々のドライバ回路から前記アドレス導体の双方の組の少なくともいくつかへの接続が前記アレイの同じ側面を介する、予め形成されたアクティブマトリックスを切断するステップを含み、前記切断ステップが、結果として、非長方形である前記アレイの他方の側面の周囲の前記プレートの外形を生じることを特徴とする、アクティブマトリックス装置を構成する方法。
【請求項１２】
請求項１１に記載の方法において、レーザを前記切断ステップにおいて使用することを特徴とする方法。
【発明の詳細な説明】
【０００１】
本発明は、アクティブマトリックス装置に関し、特に、しかし排他的にではなく、アクティブマトリックス液晶ディスプレイ（ＡＭＬＣＤ）に関する。
【０００２】
ＡＭＬＣＤのようなアクティブマトリックス装置は、家電、コンピュータおよび通信装置のようなますます種々様々な製品において使用されている。ＡＭＬＣＤの構造は、例えば、米国特許出願第５１３０８２９号に記載されており、この内容は、参照材料としてここに含まれる。アクティブマトリックス装置は、しばしば、装置のサイズおよび小ささが特に重要な理由である携帯用製品に含まれる。
【０００３】
ＡＭＬＣＤは、行および列電極によってアドレスされる画素の長方形アレイを具える。前記行電極を、行ドライバ回路によって発生された行選択信号によって駆動し、前記列電極は、列ドライバ回路によって発生されたビデオ情報を運ぶ。各々の画素は、ある行電極およびある列電極に接続された、薄膜トランジスタのような制御素子を含む。前記行および列ドライバ回路を、前記ディスプレイの個々の周辺エッジに隣接して配置する。
【０００４】
長方形タイル型ディスプレイにおける単一側面ＬＣＤアドレッシングの使用は、２０００年９月における韓国ソウルにおけるＩＤＭＣ会議の議事録の１９１〜１９４ページ、Ｒ．Ｇ．グリーネ他による“ビジネスおよび消費者用途の大きい広視野角のシームレスタイル型ＡＭＬＣＤの製造”に記載されている。
【０００５】
本発明は、支持プレートと、制御素子のアレイと、制御信号を行ドライバ回路によって印加される、前記アレイをアドレスする前記プレート上の行アドレス導体の組と、データ信号を前記アレイとの導通に関して列ドライバ回路によって印加される、前記プレート上の列アドレス導体の組とを具え、前記個々のドライバ回路から前記アドレス導体の双方の組の少なくともいくつかへの接続が前記アレイの同じ側面を介し、前記アレイの他方の側面の周囲の前記プレートの外形が非長方形であるアクティブマトリックス装置を提供する。
【０００６】
上記で参照したような米国特許出願第５１３０８２９号に記載の従来のＡＭＬＣＤ構造において、スクリーンは、前記行および列アドレス導体への接続を前記アクティブマトリックスの直交するエッジに沿って配置しなければならないため、長方形である。これは、特に、比較的小さい製品に関して、利用可能なスクリーン形状の選択が制限され、前記ドライバ回路とこれらに対する前記スクリーンからの接続部とを収容する空間を、２つの直交する側面において前記スクリーンの境界線の周囲に設けなければならないため、製品製造の設計自由を制限する。
【０００７】
本発明のアクティブマトリックス装置の行および列アドレス導体の双方の少なくともいくつかに対する接続は、前記マトリックスの同じ側面を介する。このようにして、前記マトリックスの他の側面における、コネクタおよび／またはドライバ回路によって占められる空間を、実際的に減少または除去し、このような装置を含む製品の設計においてはるかに大きな柔軟性を可能にすることができる。さらに、装置形状が２つの直交側面に沿ったドライバ接続部を有する必要性によって強制されないため、非長方形装置を大きい境界領域なしで作製することができる。単一側面アドレッシングの使用は、コネクタおよび／またはドライバ回路によって占められる合計の境界領域を減少することも可能にし、製品の全体のサイズを減少することを可能にする。これは、例えば、携帯電話またはパーソナルデジタルアシスタント（ＰＤＡ）のような携帯製品において特に望ましい。
【０００８】
前記行ドライバ回路から前記行アドレス導体への接続は、前記アレイ領域内の列アドレス導体と実際的に平行の個々のコネクタを介してもよい。代わりに、前記列ドライバ回路から前記列アドレス導体への接続は、前記アレイ領域内の行アドレス導体と実際的に平行の個々のコネクタを介してもよい。
【０００９】
前記アレイの形状に応じて、アドレス導体の双方の組のいくつかまたはすべてに対する接続は、前記アレイの同じ側を介する。例えば、前記ドライバ回路に隣接する前記アレイの側面が湾曲する場合、前記列導体のすべてと、最も近い行導体とに、前記アレイのエッジを介して直接接続し、前記アレイ領域内において前記列導体と実際的に平行に延びる追加のコネクタを、残りの行導体との接続に関して設けるのが好適であるかもしれない。代わりに、すべての前記アドレス導体への接続は、前記ドライバ回路に隣接する前記アレイの側面を介してもよい。
【００１０】
前記プレートの外形を、ある軸について、または、直角を成す軸について実際的に対称にしてもよい。例えば、楕円体または長円形形状が、いくつかの状況において望ましいかもしれない。さらに、前記制御素子のアレイを非長方形としてもよい。好適には、前記アレイを、ある軸について実際的に対称にするか、直角を成す軸について実際的に対称にする。
【００１１】
好適には、前記アクティブマトリックス装置は、液晶ディスプレイの一部を形成する。特に、反射型または半透過型ディスプレイとしてもよい。これらの構成において、前記行または列アドレス導体への追加のコネクタの導入は、これらを各々の画素の反射部分によって隠すことができるため、前記画素の開口を減少する必要はない。
【００１２】
本発明は、さらに、支持プレートと、制御素子のアレイと、制御信号を行ドライバ回路によって印加される、前記アレイをアドレスする前記プレート上の行アドレス導体の組と、データ信号を前記アレイとの導通に関して列ドライバ回路によって印加される、前記プレート上の列アドレス導体の組とを具え、前記個々のドライバ回路から前記アドレス導体の双方の組の少なくともいくつかへの接続が前記アレイの同じ側面を介する、予め形成されたアクティブマトリックスを切断するステップを含み、前記切断ステップが、結果として、非長方形である前記アレイの他方の側面の周囲の前記プレートの外形を生じる、アクティブマトリックス装置を構成する方法を提供する。このようにして、装置を、標準のブランクのストックから製造し、適切なように個々に形作ることができる。
【００１３】
レーザを前記切断ステップにおいて使用してもよい。ＡＭＬＣＤにおいて、前記プレート（および、そこから間隔を置いた第２プレート）を代表的にガラスで形成し、これを、“スクライブおよびブレイク”技術を使用して直線に沿って容易に折ることができる。しかしながら、より複雑および／または曲線の形状を、ガラスおよび他の好適なプレート材料において、レーザスクライビングを使用することによってより容易に切断することができる。
【００１４】
先行技術の構成と本発明の実施形態を、ここで、例として、添付した図式的な図面の参照とともに説明する。
【００１５】
図１は、既知のアクティブマトリックスディスプレイ装置構成を図式的に示す。これは、２つの長方形の間隔を置いた支持プレートを含むディスプレイパネル２を具える。液晶を、前記プレートの間に配置する。各行においてｎ個の画素４（１ないしｎ）を有するｍ行（１ないしｍ）から成る画素４のアレイを前記プレートの一方において設ける。明瞭にするために、数個の画素のみを示す。
【００１６】
各々の画素４に、薄膜トランジスタ（ＴＦＴ）６の形態における個々のスイッチング素子６を関係付ける。同じ行における画素に関係するすべてのＴＦＴ６のゲート端子を、共通行導体８に接続し、この共通行導体８に、動作において、ゲート信号を行ドライバ回路１０によって印加する。同じ列における画素に関係するＴＦＴのソース端子を、共通列導体１２に接続し、この共通列導体１２に、データ信号を使用において印加する。前記ＴＦＴのドレイン端子を、個々の透明画素電極１４に接続する。導体８および１２と、ＴＦＴ６と、電極１４とを、前記一方のプレートに載せ、他方のプレートにすべての前記画素に共通の電極を載せる。このようなディスプレイ装置の動作は、既知であり、したがってここでは考察しない。
【００１７】
単一側面アドレッシングを含むアクティブマトリックス液晶ディスプレイ装置を図２に示す。図１と相違して、行導体８を、前記ディスプレイの一方の側において配置された行および列ドライバ回路１８に、追加のコネクタ１６を経て接続する。これらのコネクタは、実際的には、列導体１２と平行に延び、個々の行導体にこれらの交点において接続する。
【００１８】
本発明の一実施形態を図３に示す。これは、２つの長円形支持プレート２０によって規定された長円形アドレスディスプレイ領域を具え、この領域を単一側面アドレッシングを経て行およびドライバ回路２２に接続する。前記アクティブアレイのプレートおよびディスプレイ領域は、相互に直交する軸２１ａおよび２１ｂについて対称であることは明らかであろう。前記ドライバ回路と、前記ディスプレイ領域からこれらへの接続部とによって占められる前記ディスプレイの境界領域をさらに減らすために、前記接続部は、前記ディスプレイのエッジから前記ドライバ回路に向かって“ファンイン”領域２４上に集中する。行導体２６の２つと、これらの関係する実際的に垂直の、前記ドライバ回路への接続部２８とを、説明の例として示す。明瞭にする目的のため、行導体２６に対して垂直の前記列導体や、前記画素のような前記アクティブマトリックスアレイの他の特徴を、図３から省略する。図３のものに対する他の実施形態において、単一側面アドレッシングを、追加の通常のコネクタを前記列アドレス導体に与え、前記アレイが、前記列導体をこれらの端を経てアドレスするのではなく、前記列導体に対して横断するように配置された側面を経てアドレスされるようにすることによって実現する。
【００１９】
ドライバ回路２を、前記ディスプレイ領域に、２つの長円形支持プレート２０のうち一方における接点に装着されたフレックスホイルを使用して接続してもよい。代わりに、アモルファスシリコンベースＡＭＬＣＤにおいて、前記ドライバ回路を形成するシリコン集積回路を、前記長円形ディスプレイ領域を越えて延在するように形成してもよい前記支持プレートの一方において取り付けてもよく、領域２４におけるファンのコネクタもこのプレートにおいて設ける。前記ＡＭＬＣＤをポリシリコン技術を使用して製造した場合、前記ドライバ回路を、前記アクティブマトリックスのＴＦＴと同じプレートにおいてこれらと同時に形成してもよい。
【００２０】
図４Ａは、後に特定の必要条件に適するように切断する長方形“ブランク”ＡＭＬＣＤ３０を示す。これは、画素のアクティブマトリックスアレイが長方形であることをのぞいて、図３に示す構成と同様である。他の“ブランク”構成およびフォーマットを採用してもよい。例えば、レーザスクライビングを使用し、前記ディスプレイを成形してもよい。このような修正されたディスプレイを図４Ｂに示す。図３の実施形態におけるように、長円形ディスプレイ領域３２（影をつけた）を、２つの支持プレート３３の間に設ける。これを、ドライバ回路２２と反対側の前記ブランクの側面から２つの部分を除去することによって達成する。完成した製品において、前記ドライバ回路と隣接する使用されないディスプレイ部分３４および３６を、長円形ディスプレイ領域３２のみが見えるように隠すことができる。単一側面アドレッシングは、前記ブランク外形の大きな割合を、残りのマトリックスのアドレッシングを妨害することなく、変形することを可能にする。
【００２１】
図３の構成は、特定のディスプレイ領域形状に適したコネクタおよび／またはドライバ回路における前記アクティブマトリックスおよび／またはファンの形成に関するカスタムマスクセットの使用を必要とするかもしれない。これは、前記ディスプレイの周囲の境界領域を実際的に最小限にすることを可能にする。図３に示すアプローチは、大体積製品に好適であり、図４Ａおよび４Ｂに示すものは、異なった要求を満たすディスプレイのバッチのより小さい体積の製品に特に好適である。
【００２２】
本開示を読むことによって、他の変形および変更が当業者には明らかであろう。これらのような変形および変更は、アクティブマトリックスを具える電子装置装置およびその構成部品の設計、製造および使用においてすでに既知であり、すでにここに説明した特徴の代わりに、または、それに追加して使用することができる等価なまたは他の特徴を含んでもよい。
【００２３】
請求項を本願において特定の特徴の組み合わせに対して表現したが、本発明の開示の範囲は、ここに明示的または暗示的に開示したどのような新規の特徴または特徴の新規の組み合わせ、またはその一般化も、任意の請求項において現在請求されているのと同じ発明と関係していてもいなくても、本発明が行うように同じ技術的問題のいずれかまたはすべてを軽減してもしなくても、含む。別個の実施形態の文脈において記載した特長を、単一の実施形態において組み合わせにおいて与えてもよい。反対に、簡潔さのため、単一の実施形態の文脈において記載した種々の特徴を、別々に、または、任意の好適なサブ組み合わせにおいて与えてもよい。本願人は、これにより、新たな請求項をこれらのような特徴および／またはこれらのような特徴の組み合わせに対して、本願またはそこから派生した何か他の出願の遂行中に示せることの注意を与える。
【図面の簡単な説明】
【図１】既知のアクティブマトリックス液晶ディスプレイ装置の回路図を示す。
【図２】単一側面アドレッシングを含むアクティブマトリックス液晶ディスプレイ装置の回路図を示す。
【図３】本発明の第１実施形態によるディスプレイ装置を示す。
【図４】Ａは、本発明の第２実施形態によるディスプレイ装置の製造において使用する長方形ブランクを示し、Ｂは、Ａのブランクから形成された本発明の第２実施形態を示す。
【国際公開パンフレット】
2004516511.tif 000003
2004516511.tif 000004
2004516511.tif 000005
2004516511.tif 000006
2004516511.tif 000007
2004516511.tif 000008
2004516511.tif 000009
2004516511.tif 000010
2004516511.tif 000011
2004516511.tif 000012
2004516511.tif 000013
2004516511.tif 000014
2004516511.tif 000015
【国際調査報告】
2004516511.tif 000016
2004516511.tif 000017
2004516511.tif 000018